(57)【特許請求の範囲】
【請求項１】
送信側で使用したものと同一の拡散符号と受信信号との相関をとる相関器と、該相関器が出力する相関値を所定期間にわたって平均化する第一の平均化手段と、該相関器が出力する相関値を使用して有効パス検出のための閾値を計算する閾値計算手段と、該第一の平均化手段が出力する平均値と該閾値計算手段が出力する該閾値とを比較して該平均値が該閾値を超えるタイミングと該平均値とを出力してセクタ毎に有効パスの存在可能性を示唆する比較手段とを有する複数の有効パス検出装置と、
全ての有効パス検出装置に共通に、
各有効パス検出装置の出力を受けて複数のセクタのうち１つでも有効パスの存在可能性がある時にパス・サーチ窓の決定処理への移行を決定する移行決定装置と、セクタ毎の有効パス数及び有効パスのタイミングとによってパス・サーチに使用するセクタと当該セクタにおけるパス・サーチ窓を決定するパス・サーチ窓決定装置と、該パス・サーチ窓決定装置が決定したセクタに対応する有効パス検出装置の出力を選択するセレクタより成るセクタ選択装置とを備えることを特徴とするパス・サーチ窓設定装置。
【請求項２】
請求項１記載のパス・サーチ窓設定装置において、
上記有効パス検出装置毎に、
更に、上記比較手段の出力を所定回数にわたって平均化する第二の平均化手段を付加することを特徴とするパス・サーチ窓設定装置。
【請求項３】
請求項１又は請求項２のいずれかに記載のパス・サーチ窓設定装置において、
上記セクタ選択装置の代わりに、
上記有効パス検出装置毎に有効タイミングにおける上記有効パス検出装置の出力の総和を計算する総和手段又は有効パスの遅延時間の分散を計算する遅延分散算出手段のいずれかと、該総和手段又は該遅延分散算出手段のいずれかの出力の比較を行なう大小比較手段と、該大小比較手段の出力に対応する有効パス検出装置の出力を選択するセレクタより成るセクタ選択装置を配置し、
上記パス・サーチ窓決定装置の代わりに、
上記移行決定装置の出力によって動作を開始し、該セクタ選択装置が選択したセクタにおける有効パスのタイミングによってパス・サーチ窓を決定するパス・サーチ窓決定装置を配置することを特徴とするパス・サーチ窓設定装置。
【請求項４】
請求項３載のパス・サーチ窓設定装置において、
上記セクタ選択装置が上記遅延分散算出手段を備える場合に、
該セクタ選択装置は、
該遅延分散算出手段と、該遅延分散算出手段が出力する遅延時間を平均化する第三の平均化手段と、該遅延分散算出手段の出力の比較を行なう大小比較手段と、該大小比較手段の出力に対応する有効パス検出装置の出力を選択するセレクタより成ることを特徴とするパス・サーチ窓設定装置。
【請求項５】
請求項３又は請求項４のいずれかに記載のパス・サーチ窓設定装置において、
上記総和手段が上記有効パス検出装置毎に有効タイミングにおける上記有効パス検出装置の出力の総和を計算する場合には受信信号の振幅に対応する重み付けを該有効パス検出装置の出力毎に行ない、上記遅延分散計算手段が有効タイミングの遅延時間の分散を計算する場合には遅延時間に対する重み付けを行なうことを特徴とするパス・サーチ窓設定装置。
【発明の詳細な説明】
【０００１】
【発明の属する技術分野】
本発明は、多元接続方式として符号分割多元接続（通常「ＣＤＭＡ」と略記される。これはCode Division Multiple Access の頭文字による略語である。）方式を適用するセルラ通信システムのパス・サーチ窓設定装置において、基地局が通信を希望する移動局から送信された信号を受信してベースバンド信号に逆拡散する時に基地局で必要となるパス・タイミングを検出する際に、正確にパス・タイミングを検出できると共に、パス・タイミングが移動局の移動に伴って変化することがあってもその変化するパス・タイミングを追跡する時間窓即ちパス・サーチ窓を必要最小限な幅で設定することが可能なパス・サーチ設定装置に関する。
【０００２】
近年、携帯電話に代表されるセルラ通信の需要は急速に増加しており、実用に供されているセルラ通信端末の数は事務所や家庭に設置される固定電話端末の数を既に上回っており、需要が増加する傾向が更に続くものと予測される。
このような需要増加に対応するためには高い周波数利用効率により通信容量を拡大することが必要である。従って、多元接続方式として既に広く実用に供されている時分割多元接続（通常「ＴＤＭＡ」と略記される。これは、Time Domain Multiple Access の頭文字による略語である。) 方式に代わるべく符号分割多元接続方式の導入が開始されている。
【０００３】
符号分割多元接続方式では、送信側で通信信号毎に異なる拡散符号で拡散して単位帯域当たりは電力が微小な広帯域信号に変換して送信するので、無線区間においては通信信号毎に異なる拡散符号で拡散された信号が通信信号の数だけ同時に存在している。そして、送信側で通信信号を拡散した符号と同一の拡散符号を用いて受信側で受信信号との相関をとって（この処理を「逆拡散」という。）受信信号からベースバンド信号を抽出（これを「復調」という）して送信された通信信号を再生する。
【０００４】
従って、符号分割多元接続方式自体が持っている通信容量を最大限引き出すためには、通信相手である希望局からの通信信号を通信相手ではない干渉局の通信信号や空間に存在する雑音の中から正確且つ迅速に弁別する能力が必要となる。
一般に、セルラ通信システムを構成するセルの中には建造物や丘陵などの電波を反射させるものが多数存在しうるので、特定の移動局とセルを統括する基地局との間には複数の通信パス（以降、単に「パス」と略記する。）が存在し、しかもパスが異なれば伝播遅延時間が異なるのが通常である。従って、希望局の通信信号を正確に弁別するためには最も確からしいパスにおける高い相関が得られるタイミング（これを「パス・タイミング」という。）を知る必要がある。
【０００５】
さて、移動局の基地局に対する位置が変化するとパスが変化し、パス・タイミングもまた変化する。従って、移動局の移動に伴って変化するパス・タイミングを追跡して、常に希望局のパス・タイミングを把握している必要がある。これを行なうのがパス・サーチャであり、この主要な役割を果たすのがパス・サーチ窓設定装置である。この場合、パス・タイミングを追跡するサーチ時間を長くすれば確実にパス・タイミングを把握することができるが、サーチ時間が長い程パス・サーチャの回路と処理量を肥大化させる。
【０００６】
従って、パス・タイミングが移動局の移動に伴って変化しても、その変化する該パス・タイミングを追跡する時間窓即ちパス・サーチ窓を正確に且つ必要最小限な幅で設定することが可能なパス・サーチ窓設定装置の実現が強く望まれている。
【０００７】
【従来の技術】
図２４は、従来のパス・サーチ窓設定装置で、セルラ通信システムの基地局のうちパス・タイミングを追跡するための主要構成を図示している。尚、図２４には複数の移動局も併せて図示している。
図２４において、１０１は通信相手である希望局で、便宜上通信信号を拡散する部位のみを示している。尚、拡散符号としてＣ1 を使用しているものとする。又、１０２は通信相手ではない干渉局で、拡散符号としてＣ2 を使用しているものとする。更に、１０３は通信相手ではない干渉局で、拡散符号としてＣ3 を使用しているものとする。図２４では希望局１０１と干渉局１０２及び１０３が存在しているものとして図示しているが、勿論干渉局は２局に限定されるものではない。尚、希望局１０１、干渉局１０２及び干渉局１０３は同一のセクタ内に存在する移動局であるとは限らない。
【０００８】
１ｃは有効パス検出装置で、セルを分割したセクタの数だけ有効パス検出装置が存在する。即ち、有効パス検出装置はセクタ受信装置に固有のものである。尚、図２４では移動局（希望局及び干渉局）と等しい数の有効パス検出装置が図示されているが、移動局の数とセクタの数は独立であるので単なる図示上の偶然であると理解されたい。
【０００９】
そして、有効パス検出装置１ｃは、送信側で使用した拡散符号と同一の拡散符号と受信信号との相関をとる相関器１１、相関器１１の出力の最大値を検出する最大値検出手段１７とを備えている。尚、相関器１１には通常マッチド・フィルタが使用される。そして、有効パス検出装置１ｃの出力はパスが存在しうるパス・タイミングと該パス・タイミングにおける相関値の振幅（以降、パス・タイミングにおける相関値の振幅のことを「パスの振幅」と省略して表現することがある。）を表わす。
【００１０】
２ｃは複数の有効パス検出装置の出力を比較して有効パスの振幅が最大値を示したセクタを選択するセクタ選択装置、４ｃはセクタ選択装置２ｃの出力上でパスの振幅が最大になるセグメントをパス・サーチ窓とするパス・サーチ窓決定装置（図では「サーチ窓決定装置」と略記しているが同一のものである。）である。そして、セクタ選択装置２ｃが出力するセクタ情報とパス・サーチ窓決定装置４ｃが出力するパス・サーチ窓情報とでパス・タイミング情報が形成される。
【００１１】
５は、セクタ選択装置２ｃが出力するセクタ情報によって制御されて拡散符号を発生する拡散符号発生装置、６は拡散符号発生装置５が出力する拡散符号とよって送信された通信信号を受信信号から抽出する逆拡散装置である。そして、逆拡散装置の出力が復調情報である。
そして、セクタ選択装置２ｃ、パス・サーチ窓決定装置４ｃ、拡散符号発生装置５及び逆拡散装置６は１つのセクタ受信装置に固有のものである。即ち、図２４には複数のセクタ受信装置が備える有効パス検出装置１ｃと、単一のセクタ受信装置が備えるセクタ選択装置２ｃ、パス・サーチ窓決定装置４ｃ、拡散符号発生装置５及び逆拡散装置６が示されている。このうち、拡散符号発生装置５及び逆拡散装置６を除いた部分が従来のパス・サーチ窓設定装置である。
【００１２】
さて、希望局と基地局との間の無線区間には、複数の干渉局の通信電波の外に、種々の自然現象に伴う電波、電力システムや生産システムが発生する電波、セルラ通信システムとは異なる通信システムが使用している電波などの雑音電波が存在している。
従って、図２４の相関器１１は、多数の希望局と干渉局からの信号入力と１つの拡散符号との相関値を出力する。最大値検出手段１７は、相関器１１の出力の中で最大振幅のパスの振幅とそのタイミングを検出する。
【００１３】
セクタ選択装置２ｃは、各々の有効パス検出装置が出力するパスの振幅を比較してパスの振幅が最大の有効パス検出装置の出力（パスの振幅とパス・タイミング）を選択してセクタ情報とし、拡散符号発生装置５とパス・サーチ窓決定装置４ｃとに供給する。
パス・サーチ窓決定装置４ｃは、スロット毎にセクタ選択装置２ｃの出力を時間軸上でスキャンして、パスの振幅が最大になるタイミングを含むセグメント（スロットを複数に分割したものである。）をパス・サーチ窓として決定する。
【００１４】
即ち、基地局においてパス・サーチ窓設定装置は希望局の複数のパスの希望波、複数の干渉局の複数のパスの干渉波及び雑音電波が重畳されている中からパスの振幅が最大になるタイミングが最も確からしいパス・タイミングであるとして当該タイミングを含むセグメントをパス・サーチ窓として決定する。
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。
【００１５】
【発明が解決しようとする課題】
しかし、従来のパス・サーチ窓設定装置においては、有効パス検出装置毎に相関値の最大値を検出し、複数の有効パス検出装置の中で最大の相関値を出力した有効パス検出装置に対応するセクタを最も確からしいセクタとして選択し、更に、当該セクタにおけるスロットの中で最大の相関値を示したセグメントをパス・タイミングをパス・サーチ窓として決定していたので、干渉局の通信信号や雑音電波と希望局の拡散符号との相関値が偶然に希望局の通信信号と希望局の拡散符号との相関値を上回って最大値を示した場合には、そのタイミングをパス・タイミングであると誤認する恐れが残る。
【００１６】
誤ったタイミングを正しいパス・タイミングであると誤認した場合には、いずれ送受信間の拡散符号の同期をとることができなくなって有効な復調信号を得ることができなくなる。このため、一旦開いたパス・サーチ窓を閉じて全セル内でパス・タイミングのサーチを再度開始する必要性が生じ、この間通信が一時途絶してサービスの低下を招く。
【００１７】
本発明は、かかる問題点に鑑み、多元接続方式として符号分割多元接続方式を適用するセルラ通信システムのパス・サーチ窓設定装置において、基地局が通信を希望する移動局から送信された信号を受信してベースバンド信号に逆拡散する時に基地局で必要となるパス・タイミングを検出する際に、正確にパス・タイミングを検出できると共に、パス・タイミングが該移動局の移動に伴って変化することがあってもその変化するパス・タイミングを追跡する時間窓即ちパス・サーチ窓を狭く設定することが可能なパス・サーチ設定装置を提供することを目的とする。
【００１８】
【課題を解決するための手段】
第一の発明は、送信側で使用した拡散符号と同一の拡散符号と受信信号との相関をとる相関器と、該相関器が出力する相関値を所定期間にわたって平均化する第一の平均化手段と、該第一の平均化手段が出力する平均値を使用して有効パス判定のための閾値を計算する閾値計算手段と、該第一の平均化手段が出力する平均値を該閾値計算手段が出力する閾値と比較して該平均値が該閾値を超えるタイミングと該平均値とを出力してセクタ毎に有効パスの存在可能性を示唆する比較手段とを有する複数の有効パス検出装置と、全ての有効パス検出装置に共通に、各有効パス検出装置の出力を受けて複数のセクタのうち１つでも有効パスの存在可能性がある時にパス・サーチ窓の決定処理への移行を決定する移行決定装置と、セクタ毎の有効パス数及び有効パスのタイミングとによってパス・サーチに使用するセクタと当該セクタにおけるパス・サーチ窓を決定するパス・サーチ窓決定装置と、該バス・サーチ窓決定装置が決定したセクタに対応する有効パス検出装置の出力を選択するセレクタより成るセクタ選択装置とを備えることを特徴とするパス・サーチ窓設定装置である。
【００１９】
第一の発明によれば、セクタ受信装置毎に該相関器が出力する相関値を所定時間にわたって平均化する第一の平均化手段と該第一の平均化手段が出力する平均値を用いて受信信号に基づいて計算した閾値と比較して該平均値が該閾値を超えるタイミングを有効パスが存在する可能性が高いパス・タイミングであると判定する比較手段とを備えているので、偶然に干渉電波又は雑音電波との相関値が大きくなることがあっても偶然に大きくなった相関値の影響は平均化によって縮減され、パス・タイミングを誤認識する恐れが少なくなる。又、パス・サーチ窓を決定する際にセクタ毎に有効なパスを参照するので、より確実なダイパーシティ受信が可能になる。
【００２０】
第二の発明は、第一の発明のパス・サーチ窓設定装置において、上記有効パス検出装置毎に、更に、上記比較手段の出力を所定回数にわたって平均化する第二の平均化手段を付加することを特徴とするパス・サーチ窓設定装置である。
第二の発明によれば、第一の発明のパス・サーチ窓設定装置において、上記有効パス検出装置毎に、更に、上記比較手段の出力を所定回数にわたって平均化する第二の平均化手段を付加するので、偶然に干渉電波又は雑音電波との相関値が大きくなることがあっても偶然に大きくなった相関値の影響は更に縮減され、パス・タイミングを誤認識する恐れが更に少なくなる。
【００２１】
第三の発明は、第一の発明又は第二の発明のいずれかのパス・サーチ窓設定装置において、上記セクタ選択装置の代わりに、上記有効パス検出装置毎に有効タイミングにおける上記有効パス検出装置の出力の総和を計算する総和手段又は有効タイミングの遅延時間の分散を計算する遅延分散算出手段のいずれかと、該総和手段又は該遅延分散算出手段のいずれかの出力の比較を行なう大小比較手段と、該大小比較手段の出力に対応する有効パス検出装置の出力を選択するセレクタより成るセクタ選択装置を配置し、上記バス・サーチ窓決定装置の代わりに、上記移行決定装置の出力によって動作を開始し、該セクタ選択装置が選択したセクタにおける有効パスのタイミングによってパス・サーチ窓を決定するパス・サーチ窓決定装置を配置することを特徴とするパス・サーチ窓設定装置である。
【００２２】
第三の発明によれば、上記有効パス検出装置毎に有効タイミングにおける上記有効パス検出装置の出力の総和を計算する総和手段又は有効タイミングの遅延時間の分散を計算する遅延分散算出手段のいずれかと、該総和手段又は該遅延分散算出手段のいずれかの出力の比較を行なう大小比較手段と、該大小比較手段の出力に対応する有効パス検出装置の出力を選択するセレクタより成るセクタ選択装置を配置し、上記移行決定装置の出力によって動作を開始して該セクタ選択装置が選択したセクタにおけるスロット中の有効パス数によってパス・サーチ窓を決定するパス・サーチ窓決定装置を配置しているので、該総和手段を有する場合には多くの有効パスが存在する場合や遅延スプレッドが大きい場合に正確にセクタを選択することができ、該セクタ選択装置が選択したセクタに対してパス・サーチ窓を決定すればよいので更に正確にパス・サーチ窓を決定することができる。又、該遅延分散計算手段を有する場合には有効パスが存在する時間的な位置の広がり具合の目安を得ることができて効率よくパス・サーチ窓を決定することができる。
【００２３】
第四の発明は、第三の発明パス・サーチ窓設定装置において、上記セクタ選択装置が上記遅延分散算出手段を備える場合に、該セクタ選択装置は、該遅延分散算出手段と、該遅延分散算出手段の出力を平均化する第三の平均化手段と、該第三の平均化手段の出力の比較を行なう大小比較手段と、該大小比較手段の出力に対応する有効パス検出装置の出力を選択するセレクタより成ることを特徴とするパス・サーチ窓設定装置である。
【００２４】
第四の発明によれば、該セクタ選択装置は、該遅延分散算出手段と、該遅延分散算出手段の出力を平均化する第三の平均化手段と、該第三の平均化手段の出力の比較を行なう大小比較手段と、該大小比較手段の出力に対応する有効パス検出装置の出力を選択するセレクタより成るので、有効パスの遅延時間の平均を中心としてパス・サーチ窓を開くことができるで、パス・サーチ窓の位置をアダプティブに決定することができる。
【００２５】
第五の発明は、第三の発明又は第四の発明のいずれかのパス・サーチ窓設定装置において、上記総和手段が上記有効パス検出装置毎に有効タイミングにおける上記有効パス検出装置の出力の総和を計算する時には受信信号の振幅に対応する重み付けを該行こうパス検出装置の出力毎に行ない、上記遅延分散計算手段が有効パスのタイミングの遅延時間の分散を計算する時には遅延時間に対する重み付けを行なうことを特徴とするパス・サーチ窓設定装置。
【００２６】
第五の発明によれば、上記総和手段が上記有効パス検出装置毎に有効タイミングにおける上記有効パス検出装置の出力の総和を計算する時には振幅に対する重み付けを行なうので、有効パスの大きさを判断材料に加えてパス・サーチ窓の決定を行なうことが可能になって、正確にパス・サーチ窓を決定することができる。又、上記遅延分散計算手段が有効タイミングの遅延時間の分散を計算する時には遅延時間に対する重み付けを行なうので、有効パスが存在する時間的な位置の広がり具合の目安を得ることが可能になって、効率よく正確にパス・サーチ窓を決定することができる。
【００２７】
【発明の実施の形態】
以降、具体的な図面を用いて本発明の技術を詳細に説明する。
図１は、本発明の第一の実施の形態の基本構成、図７は、本発明の第一、第二、第六、第七の実施の形態におけるセクタ選択装置の構成、図１３は第一の平均化手段の機能と概略構成を示す図で、図１、図７及び図１３の組合せで本発明の第一の実施の形態の構成が明らかにされる。
【００２８】
図１において、１は有効パスのタイミングと該有効パスの振幅の情報を検出して出力する有効パス検出装置で、セルを空間的に分割したセクタの数だけ有効パス検出装置が存在する。即ち、有効パス検出装置は基地局を構成するセクタ受信装置に固有のものである
そして、有効パス検出装置１は、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効のタイミングと該有効パスの振幅を出力する比較手段（図では、単に「比較」と記載しているが同一のものである。以降も、図では同様に記載する。）を備えている。尚、相関器１１には通常マッチド・フィルタが使用される。
【００２９】
２は複数の有効パス検出装置の出力から１つの有効パス検出装置の出力、即ち、希望局の存在が最も確からしい特定のセクタに対応する有効パス検出装置の出力を選択するセクタ選択装置で、図７に示す如く、セレクタ２１によって構成される。
３はパス・サーチ窓の決定処理への移行を決定する移行決定装置で、この場合には複数のセクタのうち１つでも有効なパスの存在可能性がある時に有効パス判定信号を移行決定イネーブル信号として出力する有効パス判定手段３１を備えている。
【００３０】
４は有効パス判定手段３１の出力を移行決定イネーブル信号として受け、複数の有効パス検出装置の出力を使用してパス・サーチ窓を決定するパス・サーチ窓決定装置で、パス・サーチ窓決定装置４は希望局の存在が最も確からしいセクタの情報と希望局の存在が最も確からしいセクタ上で最も確からしいパス・タイミングを多く含む時間窓情報であるセグメント情報とを出力する。このうちセクタ情報はセクタ選択装置２を構成するセレクタ２１に選択信号として供給される。
【００３１】
５は、セクタ選択装置２が出力するセクタ情報に対応するパス・タイミング検出装置の出力よって制御されて拡散符号を発生する拡散符号発生装置、６は拡散符号発生装置５が出力する拡散符号によって受信信号から送信された通信信号を抽出する逆拡散装置である。そして、逆拡散装置の出力が復調情報となる。
ここで、セクタ選択装置２、移行決定装置３、パス・サーチ窓決定装置４、拡散符号発生装置５及び逆拡散装置６は１つのセクタ受信装置に固有のものである。即ち、図１には複数のセクタ受信装置が備える有効パス検出装置１と、単一のセクタ受信装置が備えるセクタ選択装置２、移行決定装置３、パス・サーチ窓決定装置４、拡散符号発生装置５及び逆拡散装置６が示されており、このうち拡散符号発生装置５及び逆拡散装置６を除いた部分が本発明のパス・サーチ窓設定装置を構成する。
【００３２】
さて、相関器１１は、希望局の通信電波、干渉局の通信電波や雑音電波を含む多数の受信入力と特定の拡散符号との相関値を出力する。
第一の平均化手段１２は、図１３に示す如く、基本的には加算器１２−１及び除算器１２−２を備えており、複数スロットにおける相関値の平均を求めて出力する。尚、複数スロットにおける相関値の平均を求めるためには、複数スロットにおける相関値をシフト・レジスタに順次書き込み、それらを並列に読み出して加算してスロット数で除算すればよい。
【００３３】
比較手段１４は、第一の平均化手段１２の出力振幅と閾値計算手段１３の出力の振幅を比較して、第一の平均化手段１２の出力振幅が閾値計算手段１３の出力振幅を超える時（第一の平均化手段１２の出力振幅が閾値計算手段１３の出力振幅を超える時、そのパスは有効パスであるという。）に第一の平均化手段１２の出力を当該有効パス検出装置の出力として送出する。
【００３４】
複数の有効パス検出装置の出力は移行決定装置３を構成する有効パス判定手段３１、パス・サーチ窓決定装置４及びセクタ選択装置２に供給される。
このうち、有効パス判定手段３１は複数の有効パス検出装置の出力に１つでも有効パスの情報があれば有効パス判定信号を移行決定イネーブル信号としてパス・サーチ窓決定装置４に供給する。今は、有効パス判定手段３１が移行決定イネーブル信号を出力したものと想定して説明する。
【００３５】
有効パス判定手段３１から移行決定イネーブル信号を受けると、パス・サーチ窓決定装置４はパス・サーチ窓決定処理に入り、最も確からしいセクタと当該セクタにおける最も確からしいセグメントを選択してパス・サーチ窓として決定する。このうち、セクタ情報がセクタ選択装置２を構成するセレクタ２１に供給されて、当該セクタに対応する有効パス検出装置の出力が拡散符号発生装置５に供給される。
【００３６】
そして、逆拡散装置６において拡散符号発生装置５が発生する拡散符号と受信信号との相関がとられて復調が行なわれる。
上記の動作をフローチャートで表現すると図１５の如くなる。重複する部分もあるが、以降、図１５の符号に沿って本発明の第一の実施の形態の動作を説明する。
【００３７】
Ｓ１．相関器は、特定の拡散符号を使用して受信信号との相関値を求め、該相関値を第一の平均化手段に入力する。
ここで、移動局ｉの通信信号をＤi （ｔ）、使用している拡散符号をＣi （ｔ）とし、通信路のインパルス応答をＣＨi （ｔ）、通信路の雑音をＮi （ｔ）とすると、受信信号Ｒ（ｔ）は式（１）で与えられる。但し、ｎは移動局の数である。
【００３８】
【数１】
0003815275.tif 000002
【００３９】
即ち、受信信号は通信路を経て到達した複数の通信信号と通信路における雑音の和である。
このとき、相関器の拡散符号のインパルス応答をｈ1 （ｔ）とすると、相関器の出力Ｒh （ｔ）は受信信号Ｒ（ｔ）とｈ1 （ｔ）の畳み込み積分で与えられるので、相関器の出力Ｒh （ｔ）は式（２）で表わされる。
【００４０】
【数２】
0003815275.tif 000003
【００４１】
Ｓ２．第一の平均化手段は、所定数のスロットにわたって該相関値を平均化する。これをＲhAV （ｔ）とする。
Ｓ３．閾値計算手段は、第一の平均化手段の出力を使用して有効パス判定のための閾値を計算する。
閾値をＬ1 とし、実験によって求めた定数をＸとすると、閾値Ｌ1 は式（３）で表わされる。
【００４２】
【数３】
0003815275.tif 000004
【００４３】
ここで、式（３）の積分時間は第一の平均化手段が相関値を平均化する所定スロット数の時間に対して十分長く設定する。尚、実験によって求めた定数Ｘを加算するのは、受信信号だけから求めた閾値より閾値自体の信頼度を高くできるからである。
Ｓ４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
【００４４】
Ｓ５．移行決定装置を構成する有効パス判定手段は、複数の有効パス検出装置の出力に１つでも有効パス情報があるか否か判定する。
有効パス情報が１つもない場合（Ｎｏ）には、一旦処理を終了して再度上記の有効パスの検出を試みる。
Ｓ６．ステップＳ５で、有効パス情報が１つでもあった場合（Ｙｅｓ）には、移行決定装置はパス・サーチ窓決定装置に対してパス・サーチ窓の決定処理を促す移行決定イネーブル信号を出力する。
【００４５】
Ｓ７、パス・サーチ窓決定装置は、各々のセクタに対応する有効パス検出装置が出力する有効パス情報毎に有効パス数を計数する。セクタ毎の計数結果をＮSECTとする。
Ｓ８．又、パス・サーチ窓決定装置は、各セクタのセグメント毎に有効パス数を計数する。セグメント毎の計数結果をＮSEG とする。
【００４６】
Ｓ９．セクタ毎の計数結果ＮSECTとセグメント毎の計数結果ＮSEG の積を総当たりで求め、該積が最大になるセクタとセグメントの組合せをパス・サーチに使用するセクタとセグメントであると決定して一旦処理を終了する。
尚、図１４は、セグメントの決定を説明する図である。
本発明の第一の実施の形態の場合には、セクタ毎に有効パス数を計数（ＮSECT）すると共に、各々のセクタ上でスロットを分割したセグメント毎に有効パス数を計数（ＮSEG ）し、総当たりでＮSECT・ＮSEG が最大になるセクタとセグメントの組合せを見つける。従って、図１４の例ではセグメント＃３が最も確からしいセグメントとして選択される。
【００４７】
即ち、本発明の第一の実施の形態では、基地局においてパス・サーチ窓設定装置は希望局の複数のパスの希望波、複数の干渉局の複数のパスの干渉波及び雑音電波が重畳されている中から相関値の平均振幅が閾値を超える時に有効パスがあり得ると判断し、セクタ毎の有効パス数とセグメント毎の有効パス数の積が最大になるタイミングが最も確からしいパス・タイミングであるとして当該タイミングを含むセグメントをパス・サーチ窓として決定する。
【００４８】
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。しかも、相関値の平均振幅が閾値を超える時に有効パスがあり得ると判断し、セクタ毎の有効パス数とセグメント毎の有効パス数の積が最大になるタイミングが最も確からしいパス・タイミングであるとして当該タイミングを含むセグメントをパス・サーチ窓として決定するので、干渉局の通信信号や雑音電波と希望局の拡散符号との相関値が偶然に希望局の通信信号と希望局の拡散符号との相関値を上回って最大値を示すことがあっても、該最大値を示すタイミングを直ちにパス・タイミングであると誤認する恐れが縮減され、パス・サーチの信頼度を向上させることができる。
【００４９】
図２は、本発明の第二の実施の形態の基本構成、図７は、本発明の第一、第二、第六、第七の実施の形態におけるセクタ選択装置の構成、図１３は第一の平均化手段の機能と概略構成を示す図で、図２、図７及び図１３の組合せで本発明の第二の実施の形態の構成が明らかにされる。
図２において、１ａは有効パスのタイミングと該有効パスの振幅の情報を検出して出力する有効パス検出装置で、セルを分割したセクタの数だけ有効パス検出装置が存在する。
【００５０】
そして、有効パス検出装置１ａは、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段１４、比較手段１４の出力を複数回にわたって平均化する第二の平均化手段１５を備えている。
【００５１】
２は複数の有効パス検出装置の出力から移動局の存在が最も確からしい特定のセクタに対応する有効パス検出装置の出力を選択するセクタ選択装置で、図７に示す如く、セレクタ２１によって構成される。
３はパス・サーチ窓の決定処理への移行を決定する移行決定装置で、この場合には複数のセクタのうち１つでも有効なパスの存在可能性がある時に有効パス判定信号を移行決定イネーブル信号として出力する有効パス判定手段３１を備えている。
【００５２】
４は有効パス判定手段３１の出力を移行決定イネーブル信号として受け、複数の有効パス検出装置の出力を使用してパス・サーチ窓を決定するパス・サーチ窓決定装置で、パス・サーチ窓決定装置４はセクタ情報とセグメント情報とを出力する。このうちセクタ情報はセクタ選択装置２を構成するセレクタ２１に選択信号として供給される。
【００５３】
５は、セクタ選択装置２が出力するセクタ情報に対応するパス・タイミング検出装置の出力よって制御されて拡散符号を発生する拡散符号発生装置、６は拡散符号発生装置５が出力する拡散符号によって受信信号から送信された通信信号を抽出する逆拡散装置である。そして、逆拡散装置の出力が復調情報である。
図１と同様に、図２には複数のセクタ受信装置が備える有効パス検出装置１ａと、単一のセクタ受信装置が備えるセクタ選択装置２、移行決定装置３、パス・サーチ窓決定装置４、拡散符号発生装置５及び逆拡散装置６が示されており、このうち拡散符号発生装置５及び逆拡散装置６を除いた部分が本発明のパス・サーチ窓設定装置を構成する。
【００５４】
図１６は、本発明の第二の実施の形態の動作を示すフローチャートである。図１５と重複する部分もあるが、部分的な説明では本発明の技術の理解が困難であるので敢えて図１６の符号に沿って本発明の第二の実施の形態の動作を説明する。
Ｓ１１．相関器は、特定の拡散符号を使用して受信信号との相関値を求め、該相関値を第一の平均化手段に入力する。
【００５５】
ここで、受信信号Ｒ（ｔ）は式（１）で与えられ、相関値は式（２）で与えられる。
Ｓ１２．第二の平均化手段に備えられているタイマーを初期化する。
尚、該タイマーの代わりにカウンタを使用してもよい。
Ｓ１３．第一の平均化手段は、所定数のスロットにわたって該相関値を平均化する。
【００５６】
Ｓ１４．閾値計算手段は、第一の平均化手段の出力を使用して有効パス判定のための閾値を計算する。
閾値Ｌ1 は式（３）で表わされる。
Ｓ１５．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
【００５７】
Ｓ１６．第二の平均化手段は、比較手段の出力の加算演算をする。
Ｓ１７．第二の平均化手段は、該タイマーをインクリメントする。
Ｓ１８．第二の平均化手段は、該タイマーが所定時刻に到達したか否か判定する。
所定時刻に到達していない場合（Ｎｏ）には、ステップＳ１３にジャンプしてステップＳ１８までの処理を繰り返し行なう。
【００５８】
Ｓ１９．ステップＳ１８で、該タイマーが所定時刻に到達したと判定した場合（Ｙｅｓ）には、第二の平均化手段は加算結果を所定の加算回数で除算して平均値を求める。
Ｓ２０．移行決定装置を構成する有効パス判定手段は、複数の有効パス検出装置の出力に１つでも有効パス情報があるか否か判定する。
【００５９】
有効パス情報が１つもない場合（Ｎｏ）には、一旦処理を終了して再度上記の有効パスの検出を試みる。
Ｓ２１．ステップＳ２０で、有効パス情報が１つでもあった場合（Ｙｅｓ）には、移行決定装置はパス・サーチ窓決定装置に対してパス・サーチ窓の決定処理を促す移行決定イネーブル信号を出力する。
【００６０】
Ｓ２２．パス・サーチ窓決定装置は、各々のセクタに対応する有効パス検出装置が出力する有効パス情報毎に有効パス数を計数する。セクタ毎の計数結果をＮSECTとする。
Ｓ２３．又、パス・サーチ窓決定装置は、各セクタのセグメント毎に有効パス数を計数する。セグメントごとの計数結果をＮSEG とする。
【００６１】
Ｓ２４．セクタ毎の計数結果ＮSECTとセグメント毎の計数結果ＮSEG の積を総当たりで求め、該積が最大になるセクタとセグメントの組合せをパス・サーチに使用するセクタとセグメントであると決定して一旦処理を終了する。
即ち、本発明の第二の実施の形態では、基地局においてパス・サーチ窓設定装置は希望局の複数のパスの希望波、複数の干渉局の複数のパスの干渉波及び雑音電波が重畳されている中から閾値を超える相関値の平均振幅を複数回にわたって平均化して、セクタ毎の有効パス数とセグメント毎の有効パス数の積が最大になるタイミングが最も確からしいパス・タイミングであるとして当該タイミングを含むセグメントをパス・サーチ窓として決定する。
【００６２】
このセグメントの時間はセル全体における遅延時間と比較して極めて短いので、パス・タイミングを追跡するための時間を大幅に短縮することができる。即ち、パス・サーチ窓設定装置の回路規模及び処理規模を大幅に縮減することができる。しかも、閾値を超える相関値の平均振幅を複数回にわたって平均化して、セクタ毎の有効パス数とセグメント毎の有効パス数の積が最大になるタイミングが最も確からしいパス・タイミングであるとして当該タイミングを含むセグメントをパス・サーチ窓として決定するので、干渉局の通信信号や雑音電波と希望局の拡散符号との相関値が偶然に希望局の通信信号と希望局の拡散符号との相関値を上回って最大値を示すことがあっても、該最大値を示すタイミングを直ちにパス・タイミングであると誤認する恐れが更に縮減され、パス・サーチの信頼度を更に向上させることができる。
【００６３】
図３は、本発明の第三、第五の実施の形態の基本構成、図８は、本発明の第三の実施の形態におけるセクタ選択装置の構成（その１）、図９は、本発明の第三の実施の形態におけるセクタ選択装置の構成（その２）、図１３は、第一の平均化手段の機能と概略構成を示す図である。即ち、図３、図８又は図９、図１３の組合せによって本発明の第三の実施の形態の構成が明らかにされる。
【００６４】
図３において、１は有効なパス・タイミングと該パス・タイミングにおけるパスの振幅の情報を検出して出力する有効パス検出装置で、送信側で使用した拡散符号と同一の拡散符号と受信信号との相関をとる相関器１１、相関器１１の出力の平均値を計算する第一の平均化手段１２、第一の平均化手段１２の出力から有効なパス・タイミングを検出するための閾値を計算する閾値計算手段１３、第一の平均化手段１２の出力の振幅が閾値計算手段１３の出力の振幅を超える時に有効なパス・タイミングと該パス・タイミングにおけるパスの振幅を出力する比較手段を備えている。
【００６５】
２ａは複数の有効パス検出装置の出力から特定のセクタに対応する有効パス検出装置の出力を選択するセクタ選択装置で、図８又は図９に示す構成になっている。
即ち、図８の場合には、有効パス検出装置の出力毎に所定期間有効パスの振幅の総和を求める総和手段２２、２２ａ及び２２ｂ、複数の総和手段の出力の大小比較をする大小比較手段２３及び大小比較手段２３の出力を選択信号として複数の有効パス検出装置の出力の１つを選択するセレクタ２１によってセクタ選択装置２ａが構成される。又、図９の場合には、有効パス検出装置の出力毎に有効パスの遅延時間の分散を算出する遅延分散算出手段（図では、「分散算出手段」と略記しているが同一のものである。以降も、図では同様に記載する。）２４、２４ａ及び２４ｂ、複数の遅延分散算出手段の出力の大小を比較する大小比較手段２３及び大小比較手段２３の出力を選択信号として複数の有効パス検出装置の出力の１つを選択するセレクタ２１によってセクタ選択装置２ａが構成される。
【００６６】
３はパス・サーチ窓の決定処理への移行を決定する移行決定装置で、この場合には複数のセクタのうち１つでも有効なパスの存在可能性がある時に第一のイネーブル信号を出力する有効パス判定手段３１を備えている。
４ａは有効パス判定手段３１の出力を第一のイネーブル信号として、セクタ選択装置２ａの出力を使用してパス・サーチ窓を決定するパス・サーチ窓決定装置で、パス・サーチ窓決定装置４ａはセグメント情報とを出力する。
【００６７】
５は、セクタ選択装置２が出力するセクタ情報によって制御されて拡散符号を発生する拡散符号発生装置、６は拡散符号発生装置５が出力する拡散符号によって受信信号から送信された通信信号を抽出する逆拡散装置である。そして、逆拡散装置の出力が復調情報である。
図１と同様に、図３には複数のセクタ受信装置が備える有効パス検出装置１と、単一のセクタ受信装置が備えるセクタ選択装置２ａ、移行決定装置３、パス・サーチ窓決定装置４ａ、拡散符号発生装置５及び逆拡散装置６が示されており、このうち拡散符号発生装置５及び逆拡散装置６を除いた部分が本発明のパス・サーチ窓設定装置を構成する。
【００６８】
図１７は、本発明の第三の実施の形態の動作を示すフローチャート（その１）、図１８は、本発明の第三の実施の形態の動作を示すフローチャート（その２）である。以降、図１７と図１８の符号に沿って本発明の第三の実施の形態の動作を説明する。
まず、図１７の場合は下記の通りである。
【００６９】
Ｓ３１．相関器は、特定の拡散符号を使用して受信信号との相関値を求め、該相関値を第一の平均化手段に入力する。
ここで、受信信号Ｒ（ｔ）は式（１）で与えられ、相関器の出力Ｒh （ｔ）は式（２）で与えられる。
Ｓ３２．第一の平均化手段は、所定数のスロットにわたって該相関値を平均化する。
【００７０】
Ｓ３３．閾値計算手段は、第一の平均化手段の出力を使用して有効パス判定のための閾値を計算する。
閾値をＬ1 とし、実験によって求めた定数をＸとすると、閾値Ｌ1 は式（３）で表わされる。
Ｓ３４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
【００７１】
Ｓ３５．総和手段は、有効パス検出装置の出力毎に有効パスの振幅を所定期間加算する。
Ｓ３６．大小比較手段が複数の総和手段が出力する総和の大小比較を行ない、該総和が最大のセクタを選択するようにセレクタに指示する。この指示に従ってパス・サーチに使用するセクタが選択される。
【００７２】
Ｓ３７．一方、移行決定装置を構成する有効パス判定手段は、複数の有効パス検出装置の出力に１つでも有効パス情報があるか否か判定する。
有効パス情報が１つもない場合（Ｎｏ）には、一旦処理を終了して再度上記の有効パスの検出を試みる。
Ｓ３８．ステップＳ３７で、有効パス情報が１つでもあった場合（Ｙｅｓ）には、移行決定装置はパス・サーチ窓決定装置に対してパス・サーチ窓の決定処理を促す移行決定イネーブル信号を出力する。
【００７３】
Ｓ３９．パス・サーチ窓決定装置は、ステップＳ３６で選択されたセクタについてセグメント毎の有効パス数を計数する。
Ｓ４０．セグメント毎の有効パス数が最も多いセグメントをパス・サーチ窓であると決定して一旦処理を終了する。
図１４は、セグメントの決定を説明する図である。
【００７４】
本発明の第三の実施の形態の場合には、先にセクタが選択されており、当該セクタ上でスロットを分割したセグメント毎の有効パス数が最大になるセグメントを選択する。従って、図１４の例ではセグメント＃３が最も確からしいセグメントとして選択される。
次いで、図１８の場合は下記の通りである。
【００７５】
Ｓ３１’．相関器は、特定の拡散符号を使用して受信信号との相関値を求め、該相関値を第一の平均化手段に入力する。
ここで、受信信号Ｒ（ｔ）は式（１）で与えられ、相関器の出力Ｒh （ｔ）は式（２）で与えられる。
Ｓ３２’．第一の平均化手段は、所定数のスロットにわたって該相関値を平均化する。
【００７６】
Ｓ３３’．閾値計算手段は、第一の平均化手段の出力を使用して有効パス判定のための閾値を計算する。
閾値をＬ1 とし、実験によって求めた定数をＸとすると、閾値Ｌ1 は式（３）で表わされる。
Ｓ３４’．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
【００７７】
Ｓ３５’．遅延分散算出手段は、有効パス検出装置の出力毎に有効パスの遅延時間の分散を振幅を所定期間計算する。
Ｓ３６’．大小比較手段が複数の遅延分散算出手段が出力する遅延分散の大小比較を行ない、該遅延分散が最小のセクタを選択するようにセレクタに指示する。この指示に従ってパス・サーチに使用するセクタが選択される。
【００７８】
Ｓ３７’．一方、移行決定装置を構成する有効パス判定手段は、複数の有効パス検出装置の出力に１つでも有効パス情報があるか否か判定する。
有効パス情報が１つもない場合（Ｎｏ）には、一旦処理を終了して再度上記の有効パスの検出を試みる。
Ｓ３８’．ステップＳ３７’で、有効パス情報が１つでもあった場合（Ｙｅｓ）には、移行決定装置はパス・サーチ窓決定装置に対してパス・サーチ窓の決定処理を促す移行決定イネーブル信号を出力する。
【００７９】
Ｓ３９’．パス・サーチ窓決定装置は、ステップＳ３６’で選択されたセクタについてセグメント毎の有効パス数を計数する。
Ｓ４０’．セグメント毎の有効パス数が最も多いセグメントをパス・サーチ窓であると決定して一旦処理を終了する。
即ち、本発明の第三の実施の形態では、希望局の複数のパスの希望波、複数の干渉局の複数のパスの干渉波及び雑音電波が重畳されている中から相関値の平均振幅が閾値を超える時に有効パスがあり得ると判断し、セクタ毎の有効パスの振幅の総和又は有効パスの遅延分散が大きいセクタをパス・サーチに使用するセクタとし、当該セクタ上で有効パス数が最大のセグメントをパス・サーチ窓として決定する。
【００８０】
従って、セクタ毎の有効パスの振幅の総和が大きいセクタをパス・サーチに使用するセクタとする場合には、多くの有効バスが存在したり、遅延スプレッドが大きい場合に最も確からしいセクタを選択することができて、パス・サーチ窓の信頼度を高めることができる。又、セクタ毎の有効パスの遅延分散が小さいセクタをパス・サーチに使用するセクタとする場合には、多くの有効パスが存在しても最も確からしいセクタを選択することができて、パス・サーチ窓の信頼度を高めることができる。
【００８１】
尚、図３では本発明の第一の実施の形態においてセクタ選択装置を置換したものを示しているが、当然、本発明の第二の実施の形態においてセクタ選択装置を置換してもよい。
図４は、本発明の第四の実施の形態の基本構成、図１０は、本発明の第四の実施の形態におけるセクタ選択装置の構成、図１３は、第一の平均化手段の機能と概略構成を示す図である。即ち、図４、図１０及び図１３の組合せによって本発明の第四の実施の形態の構成が明らかにされる。
【００８２】
図４において、１は有効パスのタイミングと該有効パスの振幅の情報を検出して出力する有効パス検出装置で、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスのの振幅を出力する比較手段を備えている。
【００８３】
２ｂは複数の有効パス検出装置の出力から特定のセクタに対応する有効パス検出装置の出力を選択するセクタ選択装置で、図１０に示す構成になっている。
即ち、有効パス検出装置の出力毎に有効パスの遅延時間の分散を算出する遅延分散算出手段２４、２４ａ及び２４ｂ、遅延分散算出手段２４、２４ａ及び２４ｂが出力する有効パスの遅延時間を平均化する第三の平均化手段２５、２５ａ及び２５ｂ、複数の遅延分散算出手段が出力する遅延分散の大小を比較する大小比較手段２３、大小比較手段２３の出力を選択信号としてセクタを選択するセレクタ２１、及び、大小比較手段２３の出力を選択信号として選択されたセクタの遅延時間の平均値を選択するセレクタ２１ａによってセクタ選択装置２ｂが構成される。
【００８４】
３はパス・サーチ窓の決定処理への移行を決定する移行決定装置で、この場合には複数のセクタのうち１つでも有効なパスの存在可能性がある時に有効パス判定信号を移行決定いねーブル信号として出力する有効パス判定手段３１を備えている。
４ｂは有効パス判定手段３１の出力を移行決定イネーブル信号として、セクタ選択装置２ｂの出力を使用してパス・サーチ窓を決定するパス・サーチ窓決定装置で、パス・サーチ窓決定装置４ｂはセグメント情報を出力する。
【００８５】
５は、セクタ選択装置２が出力するセクタ情報によって制御されて拡散符号を発生する拡散符号発生装置、６は拡散符号発生装置５が出力する拡散符号によって受信信号から送信された通信信号を抽出する逆拡散装置である。そして、逆拡散装置の出力が復調情報である。
図１と同様に、図４には複数のセクタ受信装置が備える有効パス検出装置１と、単一のセクタ受信装置が備えるセクタ選択装置２ｂ、移行決定装置３、パス・サーチ窓決定装置４ｂ、拡散符号発生装置５及び逆拡散装置６が示されており、このうち拡散符号発生装置５及び逆拡散装置６を除いた部分が本発明のパス・サーチ窓設定装置を構成する。
【００８６】
図１９は、本発明の第四の実施の形態の動作を示すフローチャートである。以降、図１９の符号に沿って本発明の第三の実施の形態の動作を説明する。
Ｓ４１．相関器は、特定の拡散符号を使用して受信信号との相関値を求め、該相関値を第一の平均化手段に入力する。
ここで、受信信号Ｒ（ｔ）は式（１）で与えられ、相関器の出力Ｒh （ｔ）は式（２）で与えられる。
【００８７】
Ｓ４２．第一の平均化手段は、所定数のスロットにわたって該相関値を平均化する。
Ｓ４３．閾値計算手段は、第一の平均化手段の出力を使用して有効パス判定のための閾値を計算する。
閾値をＬ1 とし、実験によって求めた定数をＸとすると、閾値Ｌ1 は式（３）で表わされる。
【００８８】
Ｓ４４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
Ｓ４５．遅延分散算出手段は、有効パス検出装置の出力毎に有効パスの遅延時間と遅延時間の分散とを計算する。
【００８９】
Ｓ４６．第三の平均化手段は、遅延分散算出手段が出力する遅延時間を所定期間平均化する。
Ｓ４７．大小比較手段が複数の遅延分散算出手段が出力する遅延分散の大小比較を行ない、該遅延分散が最小のセクタを選択し、選択されたセクタと同じセクタの遅延時間の平均値を選択するようにセレクタに指示する。
【００９０】
この指示に従ってパス・サーチに使用するセクタと当該セクタの遅延時間の平均値が選択される。
Ｓ４８．一方、移行決定装置を構成する有効パス判定手段は、複数の有効パス検出装置の出力に１つでも有効パス情報があるか否か判定する。
有効パス情報が１つもない場合（Ｎｏ）には、一旦処理を終了して再度上記の有効パスの検出を試みる。
【００９１】
Ｓ４９．ステップＳ４８で、有効パス情報が１つでもあった場合（Ｙｅｓ）には、移行決定装置はパス・サーチ窓決定装置に対してパス・サーチ窓の決定処理を促す移行決定イネーブル信号を出力する。
Ｓ５０．選択されたセクタで、遅延時間の平均値を中心に所定の時間幅をパス・サーチ窓として一旦処理を終了する。
【００９２】
即ち、本発明の第四の実施の形態では、希望局の複数のパスの希望波、複数の干渉局の複数のパスの干渉波及び雑音電波が重畳されている中から相関値の平均振幅が閾値を超える時に有効パスがあり得ると判断し、セクタ毎の有効パスの遅延分散が大きいセクタをパス・サーチに使用するセクタとし、当該セクタ上で遅時間の平均値を中心とする所定の時間幅をパス・サーチ窓として決定する。
【００９３】
従って、多くの有効パスが存在しても最も確からしいセクタを選択することができて、且つ、パス・サーチ窓の時間位置をアダプティブで細かく決定することができるので、パス・サーチ窓の信頼度を更に高めることができる。
尚、図４は、本発明の第一の実施の形態においてセクタ選択装置を置換したものを示しているが、本発明の第二の実施の形態においてセクタ選択装置を置換してもよい。
【００９４】
図３は、本発明の第三、第五の実施の形態の基本構成、図１１は、本発明の第五の実施の形態におけるセクタ選択装置の構成（その１）、図１２は、本発明の第五の実施の形態におけるセクタ選択装置の構成（その２）、図１３は、第一の平均化手段の機能と概略構成を示す図である。即ち、図３、図１１又は図１２、図１３の組合せによって本発明の第五の実施の形態の構成が明らかにされる。
【００９５】
図３において、１は有効パスのタイミングと該有効パスの振幅の情報を検出して出力する有効パス検出装置で、送信側で使用した拡散符号と同一の拡散符号と受信信号との相関をとる相関器１１、相関器１１の出力の平均値を計算する第一の平均化手段１２、第一の平均化手段１２の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段を備えている。
【００９６】
２ｃは複数の有効パス検出装置の出力から特定のセクタに対応する有効パス検出装置の出力を選択するセクタ選択装置で、図１１又は図１２に示す構成になっている。
即ち、図１１の場合には、有効パス検出装置の出力毎に有効パスの振幅に対する重み係数を格納している重み係数格納手段（図では「重み係数」と略記しているが同一のものである。以降も、図では同様に記載する。）２６、２６ａ及び２６ｂ、有効パス検出装置の出力に重み係数を乗算する乗算器２７、２７ａ及び２７ｂ、複数の乗算器の出力毎に所定期間重み付けされた有効パスの振幅の総和を求める総和手段２２、２２ａ及び２２ｂ、複数の総和手段の出力の大小比較をする大小比較手段２３及び大小比較手段２３の出力を選択信号として複数の有効パス検出装置の出力の１つを選択するセレクタ２１によってセクタ選択装置２ｃが構成される。又、図１２の場合には、有効パス検出装置の出力毎に有効パスの遅延に対する重み係数を格納している重み係数格納手段２８、２８ａ及び２８ｂ、有効パス検出装置の出力に重み係数を乗算する乗算器２７、２７ａ及び２７ｂ、複数の乗算器の出力毎に所定期間重み付けされた有効パスの遅延分散を求める遅延分散算出手段２４、２４ａ及び２４ｂ、複数の遅延分散算出手段の出力の大小比較をする大小比較手段２３及び大小比較手段２３の出力を選択信号として複数の有効パス検出装置の出力の１つを選択するセレクタ２１によってセクタ選択装置２ｃが構成される。
【００９７】
図２０は、本発明の第五の実施の形態の動作を示すフローチャート（その１）、図２１は、本発明の第五の実施の形態の動作を示すフローチャート（その２）である。以降、図２０と図２１の符号に沿って本発明の第五の実施の形態の動作を説明する。
まず、図２０の場合は下記の通りである。
【００９８】
Ｓ５１．相関器は、特定の拡散符号を使用して受信信号との相関値を求め、該相関値を第一の平均化手段に入力する。
ここで、受信信号Ｒ（ｔ）は式（１）で与えられ、相関器の出力Ｒh （ｔ）は式（２）で与えられる。
Ｓ５２．第一の平均化手段は、所定数のスロットにわたって該相関値を平均化する。
【００９９】
Ｓ５３．閾値計算手段は、第一の平均化手段の出力を使用して有効パス判定のための閾値を計算する。
閾値をＬ1 とし、実験によって求めた定数をＸとすると、閾値Ｌ1 は式（３）で表わされる。
Ｓ５４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
【０１００】
Ｓ５５．乗算器は、有効パス検出装置の出力毎に重み係数を乗算する。
Ｓ５６．総和手段は、有効パス検出装置の出力毎に有効パスの振幅を所定期間加算する。
Ｓ５７．大小比較手段が複数の総和手段が出力する総和の大小比較を行ない、該総和が最大のセクタを選択するようにセレクタに指示する。この指示に従ってパス・サーチに使用するセクタが選択される。
【０１０１】
Ｓ５８．一方、移行決定装置を構成する有効パス判定手段は、複数の有効パス検出装置の出力に１つでも有効パス情報があるか否か判定する。
有効パス情報が１つもない場合（Ｎｏ）には、一旦処理を終了して再度上記の有効パスの検出を試みる。
Ｓ５９．ステップＳ５８で、有効パス情報が１つでもあった場合（Ｙｅｓ）には、移行決定装置はパス・サーチ窓決定装置に対してパス・サーチ窓の決定処理を促す移行決定イネーブル信号を出力する。
【０１０２】
Ｓ６０．パス・サーチ窓決定装置は、ステップＳ５７で選択されたセクタについてセグメント毎の有効パス数を計数する。
Ｓ６１．セグメント毎の有効パス数が最も多いセグメントをパス・サーチ窓であると決定して一旦処理を終了する。
次いで、図２１の場合は下記の通りである。
【０１０３】
Ｓ５１’．相関器は、特定の拡散符号を使用して受信信号との相関値を求め、該相関値を第一の平均化手段に入力する。
ここで、受信信号Ｒ（ｔ）は式（１）で与えられ、相関器の出力Ｒh （ｔ）は式（２）で与えられる。
Ｓ５２’．第一の平均化手段は、所定数のスロットにわたって該相関値を平均化する。
【０１０４】
Ｓ５３’．閾値計算手段は、第一の平均化手段の出力を使用して有効パス判定のための閾値を計算する。
閾値をＬ1 とし、実験によって求めた定数をＸとすると、閾値Ｌ1 は式（３）で表わされる。
Ｓ５４’．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
【０１０５】
Ｓ５５’．乗算器は、有効パス検出装置の出力毎に重み係数を乗算する。
Ｓ５６’．遅延分散算出手段は、有効パス検出装置の出力毎に有効パスの遅延時間の分散を振幅を所定期間計算する。
Ｓ５７’．大小比較手段が複数の遅延分散算出手段が出力する遅延分散の大小比較を行ない、該遅延分散が最大のセクタを選択するようにセレクタに指示する。この指示に従ってパス・サーチに使用するセクタが選択される。
【０１０６】
Ｓ５８’．一方、移行決定装置を構成する有効パス判定手段は、複数の有効パス検出装置の出力に１つでも有効パス情報があるか否か判定する。
有効パス情報が１つもない場合（Ｎｏ）には、一旦処理を終了して再度上記の有効パスの検出を試みる。
Ｓ５９’．ステップＳ５８’で、有効パス情報が１つでもあった場合（Ｙｅｓ）には、移行決定装置はパス・サーチ窓決定装置に対してパス・サーチ窓の決定処理を促す移行決定イネーブル信号を出力する。
【０１０７】
Ｓ６０’．パス・サーチ窓決定装置は、ステップＳ５７’で選択されたセクタについてセグメント毎の有効パス数を計数する。
Ｓ６１’．セグメント毎の有効パス数が最も多いセグメントをパス・サーチ窓であると決定して一旦処理を終了する。
即ち、本発明の第五の実施の形態では、相関値の平均振幅が閾値を超える時に有効パスがあり得ると判断し、セクタ毎の重み付けした有効パスの振幅の総和又は重み付けした有効パスの遅延分散が大きいセクタをパス・サーチに使用するセクタとし、当該セクタ上で有効パス数が最大のセグメントをパス・サーチ窓として決定する。
【０１０８】
従って、セクタ毎の有効パスの振幅の総和が大きいセクタをパス・サーチに使用するセクタとする場合には、多くの有効バスが存在したり、遅延スプレッドが大きい場合に最も確からしいセクタを選択することができて、パス・サーチ窓の信頼度を高めることができる。又、セクタ毎の有効パスの遅延分散が大きいセクタをパス・サーチに使用するセクタとする場合には、多くの有効パスが存在しても最も確からしいセクタを選択することができて、パス・サーチ窓の信頼度を高めることができる。
【０１０９】
尚、図３では、本発明の第一の実施の形態においてセクタ選択装置を置換したものを示しているが、本発明の第二の実施の形態においてセクタ選択装置を置換してもよい。
図５は、本発明の第六の実施の形態の基本構成、図７は、本発明の第一、第二、第六、第七の実施の形態におけるセクタ選択装置の構成、図１３は第一の平均化手段の機能と概略構成を示す図で、図５、図７及び図１３の組合せで本発明の第一の実施の形態の構成が明らかにされる。
【０１１０】
図５において、１ｂは有効パスのタイミングと該有効パスの振幅の情報を検出して出力する有効パス検出装置で、送信側で使用した拡散符号と同一の拡散符号と受信信号との相関をとる相関器１１、相関器１１の出力の平均値を計算する第一の平均化手段１２、有効なパス・タイミングを検出するための閾値を予め設定しておく閾値設定手段１６、第一の平均化手段１２の出力の振幅が閾値計算手段１６の出力の振幅を超える時に有効パスのタイミングと該有効パスの振幅を出力する比較手段１４を備えている。
【０１１１】
２は複数の有効パス検出装置の出力から１つの有効パス検出装置の出力、即ち、特定のセクタに対応する有効パス検出装置の出力を選択するセクタ選択装置で、図７に示す如く、セレクタ２１によって構成される。
３はパス・サーチ窓の決定処理への移行を決定する移行決定装置で、この場合には複数のセクタのうち１つでも有効なパスの存在可能性がある時に有効パス判定信号を移行決定イネーブル信号を出力する有効パス判定手段３１を備えている。
【０１１２】
４は有効パス判定手段３１の出力を移行決定イネーブル信号として、複数の有効パス検出装置の出力を使用してパス・サーチ窓を決定するパス・サーチ窓決定装置で、パス・サーチ窓決定装置４はセクタ情報とセグメント情報とを出力する。このうちセクタ情報はセクタ選択装置２を構成するセレクタ２１に選択信号として供給される。
【０１１３】
５は、セクタ選択装置２が出力するセクタ情報によって制御されて拡散符号を発生する拡散符号発生装置、６は拡散符号発生装置５が出力する拡散符号によって受信信号から送信された通信信号を抽出する逆拡散装置である。そして、逆拡散装置の出力が復調情報である。
ここで、セクタ選択装置２、移行決定装置３、パス・サーチ窓決定装置４、拡散符号発生装置５及び逆拡散装置６は１つのセクタ受信装置に固有のものである。即ち、図５には複数のセクタ受信装置が備える有効パス検出装置１と、単一のセクタ受信装置が備えるセクタ選択装置２、移行決定装置３、パス・サーチ窓決定装置４、拡散符号発生装置５及び逆拡散装置６が示されており、このうち拡散符号発生装置５及び逆拡散装置６を除いた部分が本発明のパス・サーチ窓設定装置を構成する。
【０１１４】
図２２は、本発明の第六の実施の形態の動作を示すフローチャートである。以降、図２２の符号に沿って本発明の第六の実施の形態の動作を説明する。
Ｓ７１．相関器は、特定の拡散符号を使用して受信信号との相関値を求め、該相関値を第一の平均化手段に入力する。
ここで、受信信号Ｒ（ｔ）は式（１）で与えられ、相関器の出力Ｒh （ｔ）は式（２）で与えられる。
【０１１５】
Ｓ７２．第一の平均化手段は、所定数のスロットにわたって該相関値を平均化する。
Ｓ７３．比較手段は、閾値設定手段に設定されている閾値を読み出す。
Ｓ７４．比較手段は、第一の平均化手段の出力振幅と閾値設定手段の出力振幅を比較して、第一の平均化手段の出力振幅が閾値設定手段の出力振幅以上の時に第一の平均化手段の出力を送出する。
【０１１６】
Ｓ７５．移行決定装置を構成する有効パス判定手段は、複数の有効パス検出装置の出力に１つでも有効パス情報があるか否か判定する。
有効パス情報が１つもない場合（Ｎｏ）には、一旦処理を終了して再度上記の有効パスの検出を試みる。
Ｓ７６．ステップＳ７５で、有効パス情報が１つでもあった場合（Ｙｅｓ）には、移行決定装置はパス・サーチ窓決定装置に対してパス・サーチ窓の決定処理を促す移行決定イネーブル信号を出力する。
【０１１７】
Ｓ７７、パス・サーチ窓決定装置は、各々のセクタに対応する有効パス検出装置が出力する有効パス情報毎に有効パス数を計数する。セクタ毎の計数結果をＮSECTとする。
Ｓ７８．又、パス・サーチ窓決定装置は、各セクタのセグメント毎に有効パス数を計数する。セグメントごとの計数結果をＮSEG とする。
【０１１８】
Ｓ７９．セクタ毎の計数結果ＮSECTとセグメント毎の計数結果ＮSEG の積を総当たりで求め、該積が最大になるセクタとセグメントの組合せをパス・サーチに使用するセクタとセグメントであると決定して一旦処理を終了する。
即ち、本発明の第六の実施の形態では、第一の実施の形態において閾値計算手段を閾値設定手段に置換し、相関値の平均振幅が設定された閾値を超える時に有効パスがあり得ると判断し、セクタ毎の有効パス数とセグメント毎の有効パス数の積が最大になるタイミングが最も確からしいパス・タイミングであるとして当該タイミングを含むセグメントをパス・サーチ窓として決定する。
【０１１９】
従って、閾値を計算する必要がなくなり、パス・サーチャの回路規模及び処理規模を縮減することができる。
尚、図６では、本発明の第一の実施の形態において有効バス検出装置を置換したものを示しているが、本発明の第二の実施の形態乃至第五の実施の形態において有効バス検出装置を置換してもよい。
【０１２０】
図６は、本発明の第七の実施の形態の基本構成、図７は、本発明の第一、第二、第六、第七の実施の形態におけるセクタ選択装置の構成、図１３は第一の平均化手段の機能と概略構成を示す図で、図６、図７及び図１３の組合せで本発明の第七の実施の形態の構成が明らかにされる。
図６において、１は有効パスのタイミングと該有効パスの振幅の情報を検出して出力する有効パス検出装置で、送信側で使用した拡散符号と同一の拡散符号と受信信号との相関をとる相関器１１、相関器１１の出力の平均値を計算する第一の平均化手段１２、相関器１１の出力から有効パスを検出するための閾値を計算する閾値計算手段１３、第一の平均化手段１２の出力の振幅が閾値計算手段１３の出力の振幅を超える時に有効パスのタイミングと該有効パスの振幅を出力する比較手段１４を備えている。
【０１２１】
２は複数の有効パス検出装置の出力から１つの有効パス検出装置の出力、即ち、特定のセクタに対応する有効パス検出装置の出力を選択するセクタ選択装置で、図７に示す如く、セレクタ２１によって構成される。
３ａはパス・サーチ窓の決定処理への移行を決定する移行決定装置で、この場合には複数のセクタのうち１つでも有効なパスの存在可能性がある時に有効パス判定信号を出力する有効パス判定手段３１及び有効パス判定手段３１が所定回数連続して該有効パス判定信号を出力した時に移行決定イネーブル信号を出力する連続検出手段３２とを備えている。
【０１２２】
４は連続検出手段３２の出力をイネーブル信号として、複数の有効パス検出装置の出力を使用してパス・サーチ窓を決定するパス・サーチ窓決定装置で、パス・サーチ窓決定装置４はセクタ情報とセグメント情報とを出力する。このうちセクタ情報はセクタ選択装置２を構成するセレクタ２１に選択信号として供給される。
【０１２３】
５は、セクタ選択装置２が出力するセクタ情報によって制御されて拡散符号を発生する拡散符号発生装置、６は拡散符号発生装置５が出力する拡散符号によって受信信号から送信された通信信号を抽出する逆拡散装置である。そして、逆拡散装置の出力が復調情報である。
図１と同様に、図６には複数のセクタ受信装置が備える有効パス検出装置１と、単一のセクタ受信装置が備えるセクタ選択装置２、移行決定装置３ａ、パス・サーチ窓決定装置４、拡散符号発生装置５及び逆拡散装置６が示されており、このうち拡散符号発生装置５及び逆拡散装置６を除いた部分が本発明のパス・サーチ窓設定装置を構成する。
【０１２４】
図２３は、本発明の第七の実施の形態の動作を示すフローチャートである。以降、図２３の符号に沿って本発明の第七の実施の形態の動作を説明する。
Ｓ８１．相関器は、特定の拡散符号を使用して受信信号との相関値を求め、該相関値を第一の平均化手段に入力する。
ここで、受信信号Ｒ（ｔ）は式（１）で与えられ：相関器の出力Ｒh （ｔ）は式（２）で与えられる。
【０１２５】
Ｓ８２．第一の平均化手段は、所定数のスロットにわたって該相関値を平均化する。
Ｓ８３．閾値計算手段は、第一の平均化手段の出力を使用して有効パス判定のための閾値を計算する。
閾値をＬ1 とし、実験によって求めた定数をＸとすると、閾値Ｌ1 は式（３）で表わされる。
【０１２６】
Ｓ８４．比較手段は、第一の平均化手段の出力振幅と閾値計算手段の出力振幅を比較して、第一の平均化手段の出力振幅が閾値計算手段の出力振幅以上の時に第一の平均化手段の出力を送出する。
Ｓ８５．移行決定装置を構成する有効パス判定手段は、複数の有効パス検出装置の出力に１つでも有効パス情報があるか否か判定する。
【０１２７】
有効パス情報が１つもない場合（Ｎｏ）には、一旦処理を終了して再度上記の有効パスの検出を試みる。
Ｓ８６．ステップＳ８５で、有効パス情報が１つでもあった場合（Ｙｅｓ）には、有効パス判定手段は有効パス判定信号を出力する。
連続検出手段は、該有効パス判定信号を保持する。
【０１２８】
その後、ステップＳ８２にジャンプしてステップＳ８２乃至ステップＳ８６の処理を繰り返し行なう。
Ｓ８７．所定時間経過後、連続検出手段は有効パス判定信号が所定回数連続して出力されたか否か判定する。
有効パス判定信号が所定回数連続して出力されなかった場合（Ｎｏ）には、一旦処理を終了させる。
【０１２９】
Ｓ８８．ステップＳ８７で、有効パス判定信号が所定回数連続して出力された時（Ｙｅｓ）には、連続検出手段は移行決定イネーブル信号を出力する。
Ｓ８９、パス・サーチ窓決定装置は、各々のセクタに対応する有効パス検出装置が出力する有効パス情報毎に有効パス数を計数する。セクタ毎の計数結果をＮSECTとする。
【０１３０】
Ｓ９０．又、パス・サーチ窓決定装置は、各セクタのセグメント毎に有効パス数を計数する。セグメントごとの計数結果をＮSEG とする。
Ｓ９１．セクタ毎の計数結果ＮSECTとセグメント毎の計数結果ＮSEG の積を総当たりで求め、該積が最大になるセクタとセグメントの組合せをパス・サーチに使用するセクタとセグメントであると決定して一旦処理を終了する。
【０１３１】
即ち、本発明の第七の実施の形態では、第一の実施の形態において第一のイネーブル信号が所定回数連続して出力された時にパス・サーチへの移行をイネーブルにするので、干渉局の通信信号や雑音電波と希望局の拡散符号との相関値が偶然に希望局の通信信号と希望局の拡散符号との相関値を上回って最大値を示すことがあっても、該最大値を示すタイミングを直ちにパス・タイミングであると誤認する恐れが更に縮減され、パス・サーチの信頼度を更に向上させることができる。
【０１３２】
尚、図６では、本発明の第一の実施の形態において移行決定装置を置換したものを示しているが、本発明の第二の実施の形態乃至第六の実施の形態において移行決定装置を置換してもよい。
（付記１）    送信側で使用した拡散符号と同一の拡散符号と受信信号との相関をとる相関器と、該相関器が出力する相関値を所定期間にわたって平均化する第一の平均化手段と、該相関器が出力する相関値を使用して閾値を計算する閾値計算手段と、該第一の平均化手段が出力する平均値を該閾値計算手段が出力する閾値と比較して該平均値が該閾値を超えるタイミングと該平均値とを出力してセクタ毎に有効パスの存在可能性を示唆する比較手段とを有する複数の有効パス検出装置と、
全ての有効パス検出装置に共通に、
各有効パス検出装置の出力を受けて複数のセクタのうち１つでも有効パスの存在可能性がある時にパス・サーチ窓の決定処理への移行を決定する移行決定装置と、セクタ毎の有効パス数及び有効パスのタイミングとによってパス・サーチに使用するセクタと当該セクタにおけるパス・サーチ窓を決定するパス・サーチ窓決定装置と、該バス・サーチ窓決定装置が決定したセクタに対応する有効パス検出装置の出力を選択するセレクタより成るセクタ選択装置とを備える
ことを特徴とするパス・サーチ窓設定装置。
【０１３３】
（付記２）    付記１記載のパス・サーチ窓設定装置において、
上記有効パス検出装置毎に、
更に、上記比較手段の出力を所定回数にわたって平均化する第二の平均化手段を付加する
ことを特徴とするパス・サーチ窓設定装置。
【０１３４】
（付記３）    付記１又は付記２のいずれかに記載のパス・サーチ窓設定装置において、
上記セクタ選択装置の代わりに、
上記有効パス検出装置毎に有効タイミングにおける上記有効パス検出装置の出力の総和を計算する総和手段又は有効タイミングの遅延時間の分散を計算する遅延分散算出手段のいずれかと、該総和手段又は該遅延分散算出手段のいずれかの出力の比較を行なう大小比較手段と、該大小比較手段の出力に対応する有効パス検出装置の出力を選択するセレクタより成るセクタ選択装置を配置し、
上記バス・サーチ窓決定装置の代わりに、
上記移行決定装置の出力によって動作を開始し、該セクタ選択装置が選択したセクタにおける有効パスのタイミングとによってパス・サーチ窓を決定するパス・サーチ窓決定装置を配置する
ことを特徴とするパス・サーチ窓設定装置。
【０１３５】
（付記４）    付記３記載のパス・サーチ窓設定装置において、
上記セクタ選択装置が上記遅延分散算出手段を備える場合に、
該セクタ選択装置は、
該遅延分散算出手段と、該遅延分散算出手段の出力を平均化する第三の平均化手段と、該第三の平均化手段の出力の比較を行なう大小比較手段と、該大小比較手段の出力に対応する有効パス検出装置の出力を選択するセレクタより成る
ことを特徴とするパス・サーチ窓設定装置。
【０１３６】
（付記５）    付記３又は付記４のいずれかに記載のパス・サーチ窓設定装置において、
上記総和手段が上記有効パス検出装置毎に有効タイミングにおける上記有効パス検出装置の出力の総和を計算する時には受信信号の振幅に対応する重み付けを該有効パス検出装置の出力毎に行ない、上記遅延分散計算手段が有効タイミングの遅延時間の分散を計算する時には遅延時間に対する重み付けを行なう
ことを特徴とするパス・サーチ窓設定装置。
【０１３７】
（付記６）    付記１乃至付記５のいずれかに記載のパス・サーチ窓設定装置において、
上記有効パス検出装置が、
上記閾値計算手段の代わりに、予め閾値を設定しておく閾値設定手段を備えることを特徴とするパス・サーチ窓設定装置。
【０１３８】
（付記７）    付記１乃至付記６のいずれかに記載のパス・サーチ窓設定装置において、
上記移行決定装置が所定回数連続してパス・サーチ窓の決定処理への移行を決定した時に上記パス・サーチ窓決定装置へのイネーブル信号を出力する連続検出手段を備える
ことを特徴とするパス・サーチ窓設定装置。
【０１３９】
【発明の効果】
以上詳述した如く、本発明によれば、多元接続方式として符号分割多元接続方式を適用するセルラ通信システムのパス・サーチ窓設定装置において、基地局が通信を希望する移動局から送信された信号を受信してベースバンド信号に逆拡散する際に必要となる基地局の絶対基準時刻であるパス・タイミングを検出する際に、正確にパス・タイミングを検出できると共に、パス・タイミングが移動局の移動に伴って変化することがあってもその変化するパス・タイミングを追跡する時間窓即ちパス・サーチ窓を狭く設定することが可能なパス・サーチ設定装置を実現することができる。
【０１４０】
即ち、第一の発明によれば、セクタ受信装置毎に該相関器が出力する相関値を所定時間にわたって平均化する平均化手段と該平均化手段が出力する平均値を受信信号に基づいて計算した閾値と比較して該平均値が該閾値を超えるタイミングを有効パスが存在する可能性が高いパス・タイミングであると判定する比較手段とを備えているので、偶然に干渉電波又は雑音電波との相関値が大きくなることがあってもこのタイミングの相関値の影響は平均化によって縮減され、パス・タイミングを誤認識する恐れが少なくなる。又、パス・サーチ窓を決定する際にセクタ毎の有効パス数を参照するので、より確実なダイパーシティ受信が可能になる。
【０１４１】
又、第二の発明によれば、第一の発明のパス・サーチ窓設定装置において、上記有効パス検出装置毎に、更に、上記比較手段の出力を所定回数にわたって平均化する第二の平均化手段を付加するので、偶然に干渉電波又は雑音電波との相関値が大きくなることがあってもこのタイミングの相関値の影響は更に縮減され、パス・タイミングを誤認識する恐れが更に少なくなる。
【０１４２】
又、第三の発明によれば、上記有効パス検出装置毎に有効タイミングにおける上記有効パス検出装置の出力の総和を計算する総和手段又は有効タイミングの遅延時間の分散を計算する遅延分散算出手段のいずれかと、該総和手段又は該遅延分散算出手段のいずれかの出力の比較を行なう大小比較手段と、該大小比較手段の出力に対応する有効パス検出装置の出力を選択するセレクタより成るセクタ選択装置を配置し、上記移行決定装置の出力によって動作を開始して該セクタ選択装置が選択したセクタにおけるスロット中の有効パス数によってパス・サーチ窓を決定するパス・サーチ窓決定装置を配置しているので、該総和手段を有する場合には多くの有効パスが存在する場合や遅延スプレッドが大きい場合に正確にセクタを選択することができ、該セクタ選択装置が選択したセクタに対してパス・サーチ窓を決定すればよいのでパス・サーチ窓決定装置の処理量を縮減することができる。又、該遅延分散計算手段を有する場合には有効パスが存在する時間的な位置の広がり具合の目安を得ることができて効率よくパス・サーチ窓を決定することができる。
【０１４３】
又、第四の発明によれば、該セクタ選択装置は、該遅延分散算出手段と、該遅延分散算出手段の出力を平均化する第三の平均化手段と、該第三の平均化手段の出力の比較を行なう大小比較手段と、該大小比較手段の出力に対応する有効パス検出装置の出力を選択するセレクタより成るので、有効パスの遅延時間の平均を中心としてパス・サーチ窓を開くことができるで、パス・サーチ窓の位置をアダプティブに決定することができる。
【０１４４】
更に、第五の発明によれば、上記総和手段が上記有効パス検出装置毎に有効タイミングにおける上記有効パス検出装置の出力の総和を計算する時には振幅に対する重み付けを行なうので、有効パスの大きさを判断材料に加えてパス・サーチ窓の決定を行なうことが可能になって、正確にパス・サーチ窓を決定することができる。又、上記遅延分散計算手段が有効タイミングの遅延時間の分散を計算する時には遅延時間に対する重み付けを行なうので、有効パスが存在する時間的な位置の広がり具合の目安を得ることが可能になって、効率よく正確にパス・サーチ窓を決定することができる。
【図面の簡単な説明】
【図１】  本発明の第一の実施の形態の基本構成。
【図２】  本発明の第二の実施の形態の基本構成。
【図３】  本発明の第三、第五の実施の形態の基本構成。
【図４】  本発明の第四の実施の形態の基本構成。
【図５】  本発明の第六の実施の形態の基本構成。
【図６】  本発明の第七の実施の形態の基本構成。
【図７】  本発明の第一、第二、第六、第七の実施の形態におけるセクタ選択装置の構成。
【図８】  本発明の第三の実施の形態におけるセクタ選択装置の構成（その１）。
【図９】  本発明の第三の実施の形態におけるセクタ選択装置の構成（その２）。
【図１０】  本発明の第四の実施の形態におけるセクタ選択装置の構成。
【図１１】  本発明の第五の実施の形態におけるセクタ選択装置の構成（その１）。
【図１２】  本発明の第五の実施の形態におけるセクタ選択装置の構成（その２）。
【図１３】  第一の平均化手段の機能と概略構成を示す図。
【図１４】  セグメントの決定あ説明する図。
【図１５】  本発明の第一の実施の形態の動作を示すフローチャート。
【図１６】  本発明の第二の実施の形態の動作を示すフローチャート。
【図１７】  本発明の第三の実施の形態の動作を示すフローチャート（その１）。
【図１８】  本発明の第三の実施の形態の動作を示すフローチャート（その２）。
【図１９】  本発明の第四の実施の形態の動作を示すフローチャート。
【図２０】  本発明の第五の実施の形態の動作を示すフローチャート（その１）。
【図２１】  本発明の第五の実施の形態の動作を示すフローチャート（その２）。
【図２２】  本発明の第六の実施の形態の動作を示すフローチャート。
【図２３】  本発明の第七の実施の形態の動作を示すフローチャート。
【図２４】  従来のパス・サーチ窓設定装置。
【符号の説明】
１、１ａ、１ｂ、１ｃ  有効パス検出装置
２、２ａ、２ｂ、２ｃ  セクタ選択装置
３、３ａ  移行決定装置
４、４ａ、４ｂ、４ｃ  パス・サーチ窓決定装置
５  拡散符号発生装置
６  逆拡散装置
１１  相関器
１２  第一の平均化手段
１３  閾値計算手段
１４  比較手段
１５  第二の平均化手段
１６  閾値設定手段
１７  最大値検出手段
２１、２１ａ  セレクタ
２２、２２ａ、２２ｂ  総和手段
２３  大小比較手段
２４、２４ａ、２４ｂ  遅延分散算出手段
２５、２５ａ、２５ｂ  第三の平均化手段
２６、２６ａ、２６ｂ  重み係数格納手段
２７、２７ａ、２７ｂ  乗算器
２８、２８ａ、２８ｂ  重み係数格納手段
１２−１  加算器
１２−２  除算器
１０１  希望局
１０２、１０３  干渉局
【図１】
0003815275.tif 000005
【図２】
0003815275.tif 000006
【図３】
0003815275.tif 000007
【図４】
0003815275.tif 000008
【図５】
0003815275.tif 000009
【図６】
0003815275.tif 000010
【図７】
0003815275.tif 000011
【図８】
0003815275.tif 000012
【図９】
0003815275.tif 000013
【図１０】
0003815275.tif 000014
【図１１】
0003815275.tif 000015
【図１２】
0003815275.tif 000016
【図１３】
0003815275.tif 000017
【図１４】
0003815275.tif 000018
【図１５】
0003815275.tif 000019
【図１６】
0003815275.tif 000020
【図１７】
0003815275.tif 000021
【図１８】
0003815275.tif 000022
【図１９】
0003815275.tif 000023
【図２０】
0003815275.tif 000024
【図２１】
0003815275.tif 000025
【図２２】
0003815275.tif 000026
【図２３】
0003815275.tif 000027
【図２４】
0003815275.tif 000028